(57)【特許請求の範囲】
【請求項１】
建具が載置される載置面及び前記載置面と交差する面であって前記建具に押圧される押圧面を備え、前記建具を立てられた状態に維持する載置台と、
前記載置台との間に前記建具を挟んで配置される挟持部材と、
前記載置台に端部が固定された一本のロープと、
前記載置台側にて、前記ロープを掛ける載置台側折返し部と、
前記挟持部材に設けられ、前記ロープを掛ける挟持部材側折返し部と、
を有し、
前記ロープは、前記挟持部材より前記押圧面側にて前記載置台に端部が固定されており、前記挟持部材側折返し部から前記載置台側折返し部を経由して前記挟持部材側に引っ張られ、当該挟持部材に固定されることにより前記建具を保持することを特徴とする建具保持装置。
【請求項２】
請求項１に記載の建具保持装置であって、
前記挟持部材は、前記押圧面と対向するようにして配置され、
前記ロープの端部は前記載置面側に固定され、
前記載置台側折返し部は、前記押圧面側に設けられていることを特徴とする建具保持装置。
【請求項３】
請求項１又は請求項２に記載の建具保持装置であって、
前記挟持部材側折返し部は、上下方向において、前記載置面側に固定されるロープの端部の位置と前記載置台側折返し部の位置との間に位置していることを特徴とする建具保持装置。
【請求項４】
請求項１乃至請求項３のいずれかに記載の建具保持装置であって、
前記ロープの前記載置面に固定された端部は、前記建具の一方の面側に配置され、前記載置台側折返し部は前記建具の他方の面側に配置されていることを特徴とする建具保持装置。
【請求項５】
請求項１乃至請求項３のいずれかに記載の建具保持装置であって、
前記挟持部材は、複数の前記建具間に架け渡されて配置され、前記ロープの前記載置面に固定された端部及び前記載置台側折返し部は、前記複数の建具のうちの隣接する２つの建具間に設けられていることを特徴とする建具保持装置。
【請求項６】
請求項１乃至請求項５のいずれかに記載の建具保持装置であって、
前記載置面には、載置される前記建具をガイドする複数のガイド凹部が設けられ、
前記載置面側に固定されるロープの端部は、前記ガイド凹部間に固定されていることを特徴とする建具保持装置。
【請求項７】
建具が載置される載置面及び前記載置面と交差する面であって前記建具に押圧される押圧面を備え、前記建具を立てられた状態に維持する載置台と、
前記載置台との間に前記建具を挟んで配置される挟持部材と、
前記建具を保持する為の一本のロープと、
前記載置台の前記挟持部材より前記押圧面側にて、前記建具を挟むように設けられて前記ロープを掛ける一対の載置台側折返し部と、
前記挟持部材に設けられ、前記ロープを掛ける挟持部材側折返し部と、
を有し、
前記挟持部材に掛けられた前記ロープは、前記建具の表裏面側にてそれぞれ前記載置台側折返し部を経由して前記挟持部材側に引っ張られ、当該挟持部材に固定されることにより前記建具を保持することを特徴とする建具保持装置。
【請求項８】
請求項１乃至請求項７のいずれかに記載の建具保持装置であって、
前記載置面及び前記押圧面には、載置される前記建具をガイドする複数のガイド凹部がそれぞれ設けられ、
前記載置台側折返し部は、前記載置面又は前記押圧面のいずれか一方の前記ガイド凹部間に設けられていることを特徴とする建具保持装置。
【請求項９】
請求項１または請求項８に記載の建具保持装置であって、
前記挟持部材は、前記押圧面と対向するようにして配置され、
前記載置台側折返し部は、前記載置面側に設けられ、
前記挟持部材は、前記挟持部材側折返し部と、前記ロープが固定される挟持部材側固定部とが、上下方向において間隔を隔てて配置され、前記挟持部材側折返し部と前記挟持部材固定部とが近接する方向への移動を規制するための移動規制部を有することを特徴とする建具保持装置。
【請求項１０】
請求項９に記載の建具保持装置であって、
前記移動規制部材は、前記建具から離れる方向に移動されつつ折り畳み可能な構成とし、当該移動規制部材が折り畳まれることで前記挟持部材側折返し部と前記挟持部材固定部との互いに近接する方向への移動の規制が解除されることを特徴とする建具保持装置。
【請求項１１】
請求項１０に記載の建具保持装置であって、
前記挟持部材は、前記移動規制部材が折り畳まれることを防止する解除防止部を有することを特徴とする建具保持装置。
【請求項１２】
請求項１乃至請求項１１のいずれかに記載の建具保持装置であって、
前記建具は、前記載置台と前記挟持部材との間に複数挟持され、
挟持される複数の前記建具は、各々の前記建具の外周部に設けられた溝部が対向するように配置され、対向する前記溝部にそれぞれ挿入される連結部材にて、隣接する建具同士が直列に連結されることを特徴とする建具保持装置。
【請求項１３】
請求項１乃至請求項１２のいずれかに記載の建具保持装置であって、
前記押圧面には、前記建具の端部が差し込まれて当該建具の転倒を防止する転倒防止部材が設けられ、
前記転倒防止部材は、前記建具を差し込んだ際に、前記建具の一方の面側に設けられたシール材が非接触状態にて収容される転倒防止凹部を有することを特徴とする建具保持装置。
【発明の詳細な説明】
【技術分野】
【０００１】
本発明は、建具が立てられた状態で保持される建具保持装置に関する。
【背景技術】
【０００２】
窓サッシやドアのような建具を保持する建具保持装置としては、対向する対向フレームを基台に起立配設した搬送用パレットが知られている。このような、搬送用パレットに、建具を保持させる際には、一方の対向フレーム側に建具を寄せて立て掛け、対向フレームとともにベルト等の固定手段にて結束している（例えば、特許文献１参照）。このため、固定した状態では、建具同士又は建具と対向フレームとが重なり合うので、建具に傷が付かないように建具間又は建具と対向フレームとの間に仕切りシートとを介在させている。
【特許文献１】特開平１１―２２７７７１号公報
【発明の開示】
【発明が解決しようとする課題】
【０００３】
上記従来の建具保持装置は、固定手段を外して所望の建具を取り出すが、固定手段を外した建具同士は重なり合っているため、所望の建具を取り出すために他の建具を移動させなければならず、さらに建具を取り出す際に仕切りシートが巻き付く畏れがあり作業が煩雑である。また、たとえ仕切りシートがあったとしても移動させる際に建具同士が接触し損傷する畏れもあるという課題があった。
【０００４】
本発明は、かかる課題に鑑みてなされたものであり、その目的とするところは、建具の損傷を抑えるとともに積載及び取り出しが容易な建具保持装置を提供することにある。
【課題を解決するための手段】
【０００５】
かかる目的を達成するために本発明の建具保持装置は、建具が載置される載置面及び前記載置面と交差する面であって前記建具に押圧される押圧面を備え、前記建具を立てられた状態に維持する載置台と、前記載置台との間に前記建具を挟んで配置される挟持部材と、  前記載置台に端部が固定された一本のロープと、前記載置台側にて、前記ロープを掛ける載置台側折返し部と、前記挟持部材に設けられ、前記ロープを掛ける挟持部材側折返し部と、を有し、前記ロープは、前記挟持部材より前記押圧面側にて前記載置台に端部が固定されており、前記挟持部材側折返し部から前記載置台側折返し部を経由して前記挟持部材側に引っ張られ、当該挟持部材に固定されることにより前記建具を保持することを特徴とする建具保持装置である。
このような建具保持装置によれば、載置面に載置された建具は、ロープが挟持部材側に引っ張られて挟持部材に固定されることにより挟持部材と載置台とに挟持されるとともに押圧面に押圧されることにより、立てられた状態を維持しつつ載置台に固定される。
【０００６】
また、複数の建具を載置台に固定する際、建具を１つ毎に固定したり、建具をある数量毎に固定することが可能となる為、所望の建具のみを載置台から取り出すこと、また、建具を載置台に載置することが容易である。
【０００７】
また、ロープを挟持部材側に引っ張って挟持部材に固定することとしたので、ロープを引っ張りつつ挟持部材の位置を調整し、適切な位置にてロープを固定するので、ロープが緩み難い適切な位置に挟持部材を移動させて容易にロープを固定することが可能である。
【０００８】
かかる建具保持装置であって、前記挟持部材は、前記押圧面と対向するようにして配置され、前記ロープの端部は前記載置面側に固定され、前記載置台側折返し部は、前記押圧面側に設けられていることが望ましい。  
ここで、ロープの端部を載置面側に固定するとは、必ずしも載置面に直接固定する必要はなく、載置台を構成する部位の中で載置面が位置する側に設けられていれば良い。
【０００９】
また、載置台側折返し部は押圧面側に設けられているとは、必ずしも押圧面に直接設けられている必要はなく、載置台を構成する部位の中で押圧面が位置する側に設けられていれば良い。  
このような建具保持装置によれば、建具は、一方の端部が固定された載置面及び載置台側折返し部が設けられている押圧面側と、挟持部材とにより２方向に挟持されるので、より確実に保持することが可能である。
【００１０】
かかる建具保持装置であって、前記挟持部材側折返し部は、上下方向において、前記載置面側に固定されるロープの端部の位置と前記載置台側折返し部の位置との間に位置していることが望ましい。  
このような建具保持装置によれば、上下方向において、載置面に固定されるロープの端部と、載置台側折返し部にて折返されている部位との間にて、折返す挟持部材側折返し部を有している為、この挟持部材側折返し部があたかも動滑車のごとく作用するので、挟持部材側にて引っ張る力のほぼ２倍の押圧力にて建具を押圧面側に押圧して確実に固定することが可能である。
【００１１】
また、挟持部材側折返し部に生じるロープの張力が上下に分散される為、建具を載置台に固定した状態において不用意に挟持部材が上下にスライド移動することを抑制することが可能である。
【００１２】
かかる建具保持装置であって、前記ロープの前記載置面に固定された端部は、前記建具の一方の面側に配置され、前記載置台側折返し部は前記建具の他方の面側に配置されていることが望ましい。  
このような建具保持装置によれば、ロープは建具の一方の面側から他方の面側に渡って掛けられているので、建具を１つずつ確実に保持することが可能である。
【００１３】
かかる建具保持装置であって、前記挟持部材は、複数の前記建具間に架け渡されて配置され、前記ロープの前記載置面に固定された端部及び前記載置台側折返し部は、前記複数の建具のうちの隣接する２つの建具間に設けられていることが望ましい。  
このような建具保持装置によれば、複数の建具に架け渡された挟持部材のうちの隣接する２つの建具間にロープが引き回されて張力が作用されるので、張力をいずれの建具にも作用させて複数の建具を確実に保持することが可能である。
【００１４】
かかる建具保持装置であって、前記載置面には、載置される前記建具をガイドする複数のガイド凹部が設けられ、前記載置面側に固定されるロープの端部は、前記ガイド凹部間に固定されていることが望ましい。  
ここでいうガイド凹部間とは、ガイド凹部同士の位置関係は特に問わない。例えば、水平方向に隣接して設けられた複数のガイド凹部同士の間などが考えられる。  
このような建具保持装置によれば、載置面側に固定されるロープの端部は、載置される建具をガイドする複数のガイド凹部間に固定されているので、建具をガイド凹部に沿わせて載置してもロープ及びロープの固定された端部が障害とならないので、容易に建具を載置することが可能である。
【００１５】
また、建具が載置される載置面及び前記載置面と交差する面であって前記建具に押圧される押圧面を備え、前記建具を立てられた状態に維持する載置台と、前記載置台との間に前記建具を挟んで配置される挟持部材と、前記建具を保持する為の一本のロープと、前記載置台の前記挟持部材より前記押圧面側にて、前記建具を挟むように設けられて前記ロープを掛ける一対の載置台側折返し部と、前記挟持部材に設けられ、前記ロープを掛ける挟持部材側折返し部と、を有し、前記挟持部材に掛けられた前記ロープは、前記建具の表裏面側にてそれぞれ前記載置台側折返し部を経由して前記挟持部材側に引っ張られ、当該挟持部材に固定されることにより前記建具を保持することを特徴とする建具保持装置である。
このような建具保持装置によれば、載置面に載置された建具は、ロープが挟持部材側に引っ張られて挟持部材に固定されることにより挟持部材と載置台とに挟持されるとともに押圧面に押圧されることにより、立てられた状態を維持しつつ載置台に固定される。このとき、挟持部材側折返し部があたかも動滑車のごとく作用するので、挟持部材側にて引っ張る力のほぼ２倍の押圧力にて建具を押圧面側に押圧して確実に固定することが可能である。
【００１６】
また、複数の建具を載置台に固定する際、建具を１つ毎に固定することが可能となる為、所望の建具のみを載置台から取り出すこと、また、建具を載置台に載置することが容易である。
【００１７】
かかる建具保持装置であって、前記載置面及び前記押圧面には、載置される前記建具をガイドする複数のガイド凹部がそれぞれ設けられ、前記載置台側折返し部は、前記載置面又は前記押圧面のいずれか一方の前記ガイド凹部間に設けられていることが望ましい。  
ここでいうガイド凹部間とは、ガイド凹部同士の位置関係は特に問わない。例えば、水平方向に並んで設けられたガイド凹部同士の間や、上下方向に間隔をあけて設けられたガイド凹部同士の間などが考えられる。  
このような建具保持装置によれば、載置台側折返し部は、載置される建具をガイドする複数のガイド凹部間に設けられているので、建具をガイド凹部に沿わせて載置しても載置台側折返し部が障害とならないので、容易に建具を載置することが可能である。
【００１８】
かかる建具保持装置であって、前記挟持部材は、前記押圧面と対向するようにして配置され、前記載置台側折返し部は、前記載置面側に設けられ、前記挟持部材は、前記挟持部材側折返し部と、前記ロープが固定される挟持部材側固定部とが、上下方向において間隔を隔てて配置され、前記挟持部材側折返し部と前記挟持部材固定部とが近接する方向への移動を規制するための移動規制部を有することが望ましい。  
ここで、載置台側折返し部が載置面側に設けられているとは、必ずしも載置面に直接設けられている必要はなく、載置台を構成する部位の中で載置面が位置する側に設けられていれば良い。  
このような建具保持装置によれば、載置台側折返し部にて折返されたロープは、挟持部材側折返し部に対して上下方向において間隔を隔てて配置された挟持部材側固定部にて固定されるので、建具固定状態では挟持部材側折返し部と挟持部材側固定部とがロープの張力によって接近することがない。従って、ロープの少なくとも一部は水平方向又は垂直方向に対して傾斜した状態にて固定されることになる。このため、建具は、水平方向及び鉛直方向の２方向から押圧されて保持されるので、より確実の保持することが可能である。このとき、挟持部材側折返し部と前記挟持部材固定部とは移動規制部により互いが近接する方向への移動が規制されているので、ロープの張力が２方向へ作用する状態が保たれるため、ロープが緩むことを防止することが可能である。
【００１９】
かかる建具保持装置であって、前記移動規制部材は、前記建具から離れる方向に移動されつつ折り畳み可能な構成とし、当該移動規制部材が折り畳まれることで前記挟持部材側折返し部と前記挟持部材固定部との互いに近接する方向への移動の規制が解除されることが望ましい。  
このような建具保持装置によれば、挟持部材を折り畳むことにより、挟持部材側折返し部と挟持部材固定部とが近接する方向へ移動させることが可能となるので、容易にロープを緩めて建具を取り出すことが可能である。特に、建具を載置台との間で挟持する挟持部材が折り畳まれるので、建具を取り出す際には挟持部材は障害とならず建具を容易に取り出すことが可能である。
【００２０】
かかる建具保持装置であって、前記挟持部材は、前記移動規制部材が折り畳まれることを防止する解除防止部を有することが望ましい。  
このような建具保持装置によれば、挟持部材には、移動規制部材が折り畳まれることを防止する解除防止部が設けられているので、規制が不用意に解除されてロープが緩むことを防止することが可能である。
【００２１】
かかる建具保持装置であって、前記建具は、前記載置台と前記挟持部材との間に複数挟持され、挟持される複数の前記建具は、各々の前記建具の外周部に設けられた溝部が対向するように配置され、対向する前記溝部にそれぞれ挿入される連結部材にて、隣接する建具同士が直列に連結されることが望ましい。  
このような建具保持装置によれば、複数の建具が連結部材により直列に連結されて載置台と前記挟持部材との間に保持されるので、より多くの建具を保持させることが可能である。また、建具同士を連結する連結部材は建具に設けられている溝部に連結部材が挿入されているだけなので、容易に連結したり連結を解除したりすることが可能である。
【００２２】
かかる建具保持装置であって、前記押圧面には、前記建具の端部が差し込まれて当該建具の転倒を防止する転倒防止部材が設けられ、前記転倒防止部材は、前記建具を差し込んだ際に、前記建具の一方の面側に設けられたシール材が非接触状態にて収容される転倒防止凹部を有することが望ましい。  
このような建具保持装置によれば、建具を保持させるために押圧面の転倒防止部材に差し込んだとしても、建具に設けられたシール材は転倒防止部材と接触しないので、シール材が損傷を受けることを防止することが可能である。
【発明の効果】
【００２３】
本発明によれば、建具の損傷を抑えるとともに、積載及び取り出しが容易な建具保持装置を提供することが可能である。
【発明を実施するための最良の形態】
【００２４】
以下、本発明の一実施形態に係る建具保持装置について図面を参照して説明する。  
本実施形態では、建具保持装置として、複数の建具としての網戸３を積載してフォークリフト等にて搬送する際に用いる網戸積載用パレットを例に挙げて説明する。
【００２５】
本実施形態の網戸積載用パレット１は、図１〜図３に示すように、網戸３が載置される載置面１０ａ及び載置面１０ａと交差する面であって、網戸３に押圧される押圧面２０ａを備えて網戸３を立てられた状態に維持する載置台５と、載置台５との間に網戸３を挟んで配置される挟持部材３０と、載置台５に一方の端部が固定されたロープ７と、載置台５側にてロープ７を掛けて（巻き付けられて）折返される載置台側折返し部８と、挟持部材３０に設けられてロープ７を掛けて（巻き付けられて）折返される挟持部材側折返し部９とを有している。
【００２６】
本実施形態の網戸積載用パレット１は、載置される複数の網戸３の面が互いに対面するように立てられた状態で平行に配置される。以下の説明では、網戸３の表裏面と直交する方向（面外方向）を前後方向、網戸３の表裏面と平行な水平方向を左右方向、垂直方向を上下方向とする。
【００２７】
載置台５は、網戸３が載置される載置面１０ａを有する基台１０、及び、基台１０に着脱自在に設けられ載置面１０ａ上に鉛直に立設されて、載置面１０ａとほぼ直交する押圧面２０ａを有する押圧板２０と、基台１０の前後に２本ずつ設けられ、四隅近傍に各々配置された支柱１６と、押圧板２０を基台１０に立設した際に押圧板２０の転倒を防止するために取り外し自在に筋交い状に設けられる棒状の接合部材１８とを有している。図１〜図３の網戸積載用パレット１では、基台１０の左右方向におけるほぼ中央に押圧板２０が設けられており、網戸３は立てられた状態で左右方向の両側からスライドさせて載置することが可能である。
【００２８】
基台１０は、フォークリフトのフォーク状の腕部が差し込まれる部位が形成されるように中空の角材が枠組みされたフレーム１１と、フレーム１１上に設けられ上面が載置面１０ａとなる載置板１２とを有し、載置板１２上には網戸３を左右方向に沿ってスライドする際に網戸３の下端をガイドする凹部状の複数のガイド凹部１３が設けられている。このガイド凹部１３は図２の様にＶ字状であってもよく、その形状は特に問わない。また複数のガイド凹部１３の間にはそれぞれ、ロープ７の一方の端部が固定されている。図１〜図３の例ではフック部材６を介してロープ７の一方の端部７ａが基台１０（載置面１０ａ）に固定されている。また、ロープ７の一方の端部７ａは、基台１０の左右の端部と押圧板２０との中間又は押圧板２０側に偏らせた位置に固定されている。
【００２９】
押圧板２０は、基台１０の左右方向におけるほぼ中央に設けられて、押圧板２０の左右方向両面（表裏面）に押圧面２０ａが設けられているので、左右方向の両側から網戸３が載置可能となっている。押圧面２０ａは、上下方向における中央より上側寄り及び下側寄りにそれぞれ、網戸３の端部、すなわち框部分が差し込まれて網戸３の転倒を防止するガイド凹部としての転倒防止凹部２２ａが設けられた転倒防止部材２２を有している。転倒防止部材２２は、押圧面２０ａにおける前後方向のほぼ全域に形成された弾性部材である。転倒防止凹部２２ａは、押圧板２０が基台１０上に配置されたときに、ガイド凹部１３に沿ってスライドされた網戸３の框部分が差し込まれるように転倒防止部材２２に形成されている。
【００３０】
転倒防止凹部２２ａは、網戸３が差し込まれた際に、網戸３の一方の面側（前後方向一方側、面外方向一方側）に設けられた起毛状のシール材３ｂ（モヘヤ）が転倒防止部材２２と非接触状態にて収容される凹部である。具体的には、転倒防止凹部２２ａは、平面形状が網戸３の進入方向に向かって間隔が狭くなるような２つの傾斜面２２ｂ、２２ｃを有する凹部であり、最も奥側（凹部の底面側）の傾斜面の間隔は、網戸３の厚みより狭く形成されている。転倒防止凹部２２ａを形成する２つの傾斜面２２ｂ、２２ｃのうちの一方の傾斜面２２ｃは、他方傾斜面２２ｂより網戸３の表裏面に対する傾斜角度が大きく形成され、最も手前側（凹部の開口側）の位置での網戸３との間隔が他方の傾斜面２２ｂより広くなるように形成されている。そして、傾斜角度が大きい他方の傾斜面２２ｃ側に、網戸３の起毛状のシール材３ｂが設けられている面が向けられて網戸３が転倒防止凹部２２ａに差し込まれることにより、起毛状のシール材３ｂと転倒防止部材２２との非接触状態が保たれるように構成されている。ここでシール材３ｂは、起毛状に限らず、ヒレ状をなすゴム製のシール材であっても構わない。
【００３１】
また、押圧板２０には、基台１０に設けられた複数のガイド凹部１３の間に設けられたロープ７の固定部と前後方向の位置を合わせて、ロープ７を掛けて（巻き付けられて）折返される載置台側折返し部８が、上側の転倒防止部材２２の下方に設けられている。つまり、載置台側折返し部８は、上下方向に間隔をあけて設けられた転倒防止凹部２２ａ（ガイド凹部）の間の押圧板２０部分に設けられている。本実施形態においては、載置台側折返し部８はフック部材にて構成されている。
【００３２】
支柱１６は、基台１０のフレーム１１に固定される中空角材状の支柱台座１６ａと支柱台座１６ａ内に挿抜可能に差し込まれる支柱本体１６ｂとを有している。支柱本体１６ｂは、上方に持ち上げると基台１０の載置面１０ａに沿うように倒すことができるように回動可能に接合されている。
【００３３】
接合部材１８は、基台１０の前端及び後端にそれぞれ設けられており、左右方向における端部側に、接合部材１８の一方の端部が回動自在に固定されている。そして、押圧板２０が基台１０に取り付けられた後に接合部材１８の他方の端部を押圧板２０の上方側と係合させて押圧板２０を支持する。接合部材１８と押圧板２０とは着脱自在に係合されているので、押圧板２０を基台１０から取り外す際には、接合部材１８は押圧板２０との係合が解かれ、載置面１０ａに沿うように倒すことができるように構成されている。
【００３４】
このように本実施形態の網戸積載用パレット１の載置台５は、網戸３を積載していない時には、押圧板２０を取り外すとともに、支柱本体１６ｂ及び接合部材１８を倒すことにより、コンパクトに収納することが可能である。
【００３５】
挟持部材３０は、板状の部材であり網戸３を載置台５に保持するためのロープ７を掛けて折返される挟持部材側折返し部９と、ロープ７の他端側を固定するための挟持部材側固定部１４とを有している。挟持部材３０の詳細は後述する。
【００３６】
次に、本網戸積載用パレット１における網戸３の積載方法を説明するが、以下の説明においては、網戸積載用パレット１を簡易な構造にモデル化した図を用いて説明する。モデル化した図では、網戸３の保持に直接関係しない支柱１６及び接合部材１８を省略し、押圧板２０を基台１０の端部に設け、左右方向の一方側からのみ網戸３を積載可能な形態としている。
【００３７】
第１実施形態の網戸積載用パレット及び積載方法は、図５、図６に示すように、基台１０のガイド凹部１３に沿わされて隣接するように載置された２枚の網戸３を１つの挟持部材にて保持するものである。
【００３８】
挟持部材３０は、転倒防止凹部２２ａに差し込まれる２枚の網戸３の、押圧板２０とは反対側の端部側に、２枚の網戸３に架け渡されるように当接される。本実施形態の挟持部材３０が有する長方形の板状をなす樹脂製の挟持部本体３１は、長手方向が上下方向に向けられて当接される。板状の挟持部本体３１の上端側及び下端側には、網戸３に当接される側に弾性を有する当接部材３２、３３が設けられている。また、上側の当接部材３２の裏側には、円柱状をなしロープ７を上下方向にわたって掛けられる挟持部材側折返し部９が設けられている。挟持部材側折返し部９の上下に挟持部本体３１を貫通する第１貫通孔３４と下側の当接部材３３の近傍に挟持部本体３１を貫通する第２貫通孔３５が設けられている。
【００３９】
基台１０の載置面１０ａには、ガイド凹部１３に沿って載置される２枚の網戸３の間に位置するように、十分に長いロープ７の一方の端部７ａが予め固定されている。つまり、ロープ７の一方の端部７ａは、水平方向に並んで設けられたガイド凹部１３の間に固定されている。一方の端部７ａが固定されたロープ７は、挟持部材３０の下側の第１貫通孔３４を通って挟持部材側折返し部９に対して下方から上方にわたって掛けられ折返されるとともに、上側の第１貫通孔３４を挿通し載置台側折返し部８にて折返させて第２貫通孔３５に挿通させておく。そして、ロープ７は挟持部材３０側へは引っ張らずに挟持部材３０が基台１０の外側に位置するように十分に繰り出しておく（図６）。
【００４０】
そして、２枚の網戸３が隣接するように基台１０のガイド凹部１３に沿って載置させ、押圧板２０に設けられた転倒防止部材２２の転倒防止凹部２２ａ（図４）に網戸３をそれぞれ差し込む。この状態で２枚の網戸３はそれぞれ独立して立たされた状態が維持されている。
【００４１】
その後、挟持部材３０を持ち上げつつロープ７を引っ張る。このとき、ロープ７が引っ張られることにより挟持部材３０に設けられている上下の当接部材３２、３３が網戸３の縁部に当接される。さらに、ロープ７を引っ張りつつ挟持部材３０が網戸３の縁部に沿って移動しなくなるように挟持部材３０の位置を調節する。具体的には、挟持部材側折返し部９の高さ位置（上下方向位置）が、フック部材６（ロープ７の端部７ａが固定される箇所）の高さ位置と載置台側折返し部８の高さ位置との間に位置するように配置する。この位置にて、ロープ７を挟持部本体３１と挟持部材側折返し部９との間の狭小部に巻き付けて縛ることによりロープ７を固定する。ここでは、挟持部本体３１と挟持部材側折返し部９との間の狭小部が、挟持部材側固定部１４に相当する。
【００４２】
基台１０のガイド凹部１３に沿わされて隣接するように載置された２枚の網戸３を保持する変形例の一例として、図７、図８に示すような形態も考えられる。
【００４３】
挟持部材３０は、転倒防止凹部２２ａに差し込まれる２枚の網戸３の、押圧板２０とは反対側の端部側に、２枚の網戸３に架け渡されるように当接される。本実施形態の挟持部材３０が有する長方形の板状をなす樹脂製の挟持部本体３１は、長手方向が上下方向に向けられて当接される。板状の挟持部本体３１の上端側及び下端側には、網戸３に当接される側に弾性を有する当接部材３２、３３が設けられている。また、下側の当接部材３３の裏側には、円柱状をなしロープ７を上下方向にわたって掛ける挟持部材側折返し部９が設けられている。挟持部材側折返し部９の直ぐ上に挟持部本体３１を貫通する第１貫通孔３４と上側の当接部材３２に直ぐ下に挟持部本体３１を貫通する第２貫通孔３５が設けられている。
【００４４】
基台１０の載置面１０ａには、ガイド凹部１３に沿って載置される２枚の網戸３の間に位置するように、十分に長いロープ７の一方の端部７ａが予め固定されている。一方の端部７ａが固定されたロープ７は、挟持部材３０の下方側を通って挟持部材側折返し部９に対して下方から上方にわたって掛けられて折返されるとともに、第１貫通孔３４を挿通し載置台側折返し部８にて折返させて第２貫通孔３５に挿通させておく。そして、ロープ７は挟持部材３０側へは引っ張らずに挟持部材３０が基台１０の外側に位置するように十分に繰り出しておく（図８）。
【００４５】
そして、２枚の網戸３が隣接するように基台１０のガイド凹部１３に沿って載置させ、押圧板２０に設けられた転倒防止部材２２の転倒防止凹部２２ａ（図４）に網戸３をそれぞれ差し込む。この状態で２枚の網戸３はそれぞれ独立して立たされた状態が維持されている。
【００４６】
その後、挟持部材３０を持ち上げつつロープ７を引っ張る。このとき、ロープ７が引っ張られることにより挟持部材３０に設けられている上下の当接部材３２、３３が網戸３の縁部に当接される。さらに、ロープ７を引っ張りつつ挟持部材３０が網戸３の縁部に沿って移動しなくなるように挟持部材３０の位置を調節する。具体的には、挟持部材側折返し部９の高さ位置（上下方向位置）が、フック部材６（ロープ７の端部７ａが固定される箇所）の高さ位置と載置台側折返し部８の高さ位置との間に位置するように配置する。この位置にて、ロープ７を挟持部本体３１と挟持部材側折返し部９との間の狭小部に巻き付けて縛ることによりロープ７を固定する。ここでは、挟持部本体３１と挟持部材側折返し部９との間の狭小部が、挟持部材側固定部１４に相当する。
【００４７】
第２実施形態の網戸積載用パレット１及び積載方法は、図９、図１０に示すように、１枚の網戸３を保持するものである。
【００４８】
転倒防止凹部２２ａに差し込まれる１枚の網戸３の、押圧板２０とは反対側の端部側に、網戸３の外周部に設けられている溝部３ａに一部を挿入させて挟持部材３０が当接される。本実施形態の挟持部材３０が有する長方形の板状をなす樹脂製の挟持部本体３７が、長手方向が上下方向に向けられている。板状の挟持部本体３７の上端側及び下端側には、網戸３に当接される側に弾性を有する当接部材３２、３３が設けられている。また、上側の当接部材３２の上部と下側の当接部材３３の下部には当接される網戸３の溝部３ａに挿入されるブロック３８が設けられている。さらに、当接部材３２、３３の裏側には、円柱状をなしロープ７を掛ける挟持部材側折返し部９がそれぞれ設けられている。つまり、挟持部材側折返し部９が上下方向に間隔をあけて２箇所設けられている。
【００４９】
基台１０には、網戸３の一方の面側（ここでは、前面側）に、十分に長いロープ７の一端が予め固定されている。つまり、ロープ７の一方の端部７ａは、水平方向に並んで設けられたガイド凹部１３の間に固定されている。一端が固定されたロープ７は、挟持部材３０の下方側から網戸３とは反対側を通されて下側の挟持部材側折返し部９から上側の挟持部材側折返し部９に渡って掛けわたされるとともに、網戸３の他方の面側（ここでは、後面側）に回されて、載置台側折返し部８にて折返されて挟持部本体３７側に引き回しておく。そして、ロープ７は引っ張らずに挟持部材３０が基台１０の外側に位置するように十分に繰り出しておく。
【００５０】
そして、１枚の網戸３を基台１０のガイド凹部１３に沿って載置させ、押圧板２０に設けられた転倒防止部材２２の転倒防止凹部２２ａに網戸３を差し込む。この状態で網戸３は独立して立たされた状態が維持されている。
【００５１】
その後、挟持部材３０を持ち上げつつロープ７を挟持部材３０側に引っ張る。このとき、ロープ７が引っ張られることにより挟持部材３０に設けられている上下の当接部材３２、３３が網戸３の縁部に当接されるとともに上下のブロック３８を網戸３の溝部３ａに挿入する。さらに、ロープ７を引っ張りつつ挟持部材３０が網戸３の縁部に沿って移動しなくなるように挟持部材３０の位置を調節する。具体的には、挟持部材側折返し部９の高さ位置（上下方向位置）が、ロープ７の端部７ａの高さ位置と載置台側折返し部８の高さ位置との間に位置するように配置する。この位置にて、ロープ７を挟持部本体３７と下側の挟持部材側折返し部９との間の狭小部に巻き付けて縛ることによりロープ７を固定する。
【００５２】
第３実施形態の網戸積載用パレット１及び積載方法は、図１１、図１２に示すように、基台１０のガイド凹部１３に沿って前後方向に隣接するように載置された２枚の網戸３を保持するものであるが、載置台側折返し部８が基台１０側に設けられている点で第１実施形態の網戸積載用パレット及び積載方法と相違する。第３実施形態の網戸積載用パレット１は、載置台側折返し部８が基台１０側のロープ７の固定部近傍に設けられているので、載置台側折返し部８が押圧板２０側に設けられている場合より、ロープ７を各部材に掛けたりする作業が楽になる。このため、例えば横幅に対し縦の高さが十分に高く幅方向に作用する圧縮力に対し剛性が低い網戸等を、横に倒した状態にて積載する場合には、載置された状態における網戸３の左右方向長さ（倒す前の縦方向の長さ）が長くなり、第１、２実施形態のようにしてロープ７を押圧板２０に設けられた載置台側折返し部８に掛ける作業が煩雑になるが、それと比較して第３実施形態の網戸積載用パレット１の方が作業の負担を軽減することが可能である。
【００５３】
挟持部材３０は、転倒防止凹部２２ａに差し込まれる２枚の網戸３の、押圧板２０とは反対側の端部側に、２枚の網戸３に架け渡されるように当接される。本実施形態の挟持部材３０が有する長方形の板状をなす樹脂製の挟持部本体５０は、長手方向が上下方向に向けられて当接される。板状の挟持部本体５０の上端側及び下端側には、網戸３に当接される側に弾性を有する当接部材３２、３３が設けられている。また、上側の当接部材３２の裏側であって上側の当接部材３２の下側に位置させて、円柱状をなしロープ７が上下方向にわたって掛けられる挟持部材側折返し部９が設けられている。挟持部材側折返し部９の直ぐ上及び直ぐ下に挟持部本体５０を貫通する第１貫通孔３４と下側の当接部材３３直ぐ上に挟持部本体５０を貫通する第２貫通孔３５が設けられている。そして、挟持部本体５０の上端側に設けられた当接部材３２及び第１貫通孔３４と下端側に設けられた当接部材３３及び第２貫通孔３５とは、基台１０の端部と基台１０におけるロープ７の固定位置との距離と同等の間隔が隔てられており、上端側の当接部材３２と下端側の当接部材３３との中間の規制解除部３６にて挟持部本体５０が折り畳まれるように構成されている。ここで、挟持部本体５０の上下の当接部材３２、３３間の部位が折り畳まれない状態で、挟持部材側折返し部９と挟持部材側固定部１４との間に位置する挟持部本体５０部分が、挟持部材側折返し部９と挟持部材３０側にロープ７を固定する挟持部材側固定部１４とが互いに近接する方向への移動を規制するための移動規制部５０ａに相当し、上端側の当接部材３２と下端側の当接部材３３との中間の規制解除部３６にて折り畳まれることにより規制が解除される。
【００５４】
基台１０の載置面１０ａには、ガイド凹部１３に沿って載置される２枚の網戸３の間に位置するように、十分に長いロープ７の一方の端部７ａが予め固定されている。つまり、ロープ７の一方の端部７ａは、水平方向に並んで設けられたガイド凹部１３の間に固定されている。一方の端部７ａが固定されたロープ７は、上側の当接部材３２の上側の第１貫通孔３４を挿通されて網戸３とは反対側を通され、挟持部材側折返し部９に掛けられるとともに挟持部材側折返し部９の下側の第１貫通孔３４を挿通し基台１０に水平方向に並んで設けられたガイド凹部１３の間に設けられた載置台側折返し部８にて折返させて第２貫通孔３５に挿通させておく。そして、ロープ７は挟持部材３０側へ引っ張らずに挟持部材３０を規制解除部３６にて折り畳み、基台１０の外側に位置するように十分に繰り出しておく。
【００５５】
そして、２枚の網戸３が隣接するように基台１０のガイド凹部１３に沿って載置させ、押圧板２０に設けられた転倒防止部材２２の転倒防止凹部２２ａ（図４）にそれぞれ差し込む。この状態で２枚の網戸３はそれぞれ独立して立たされた状態が維持されている。
【００５６】
その後、挟持部材３０を持ち上げつつロープ７を挟持部材３０側へ引っ張る。このとき、ロープ７が引っ張られることにより挟持部材３０に設けられている上下の当接部材３２、３３が網戸３の縁部に当接される。さらに、ロープ７を引っ張りつつ挟持部材３０が網戸３の縁部に沿って移動しなくなるように挟持部材３０の位置を調節する。そして、挟持部材３０は、ロープ７の基台１０に固定された端部７ａと第２貫通孔３５に挿通されている部位７ｂとの長さが最も短くなる位置に調整される。第３実施形態の場合には、一端が固定されたロープ７は、挟持部材側折返し部９にて折返されて基台１０側のロープ７の固定部近傍に設けられている載置台側折返し部８に戻されるため、挟持部本体５０の下端が基台１０側に近接した位置に調節される。載置台側折返し部８にて折返されたロープ７は、挟持部本体５０が折り畳まれることなく移動規制部５０ａとなった状態にて挟持部本体５０に第２貫通孔３５近傍にて固定される。このとき、ロープ７が挟持部材３０側に引っ張られて挟持部本体５０に固定されることにより、ロープ７の張力は、挟持部本体５０の規制解除部３６より上方側の部位と、挟持部本体５０の規制解除部３６より下方側の部位とをいずれも網戸３側に引っ張るように作用して上下の当接部材３２、３３を網戸３に押圧させる。このため、挟持部本体５０の規制解除部３６より上方側の部位と、挟持部本体５０の規制解除部３６より下方側の部位とは網戸３から離れる方向には移動しにくくなり、不用意に規制解除部３６が折り畳まれることはなく、網戸３は挟持部材３０と載置台５とにて確実に保持される。
【００５７】
基台１０のガイド凹部１３に沿って前後方向に隣接するように載置された２枚の網戸３を保持する変形例の一例として、図１３、図１４に示すような形態も考えられる。
【００５８】
挟持部材３０は、転倒防止凹部２２ａに差し込まれる２枚の網戸３の、押圧板２０とは反対側の端部側に、２枚の網戸３に架け渡されるように当接される。本実施形態の挟持部材３０が有する長方形の板状をなす樹脂製の挟持部本体５０は、長手方向が上下方向に向けられて当接される。板状の挟持部本体５０の上端側及び下端側には、網戸３に当接される側に弾性を有する当接部材３２、３３が設けられている。また、下側の当接部材３３の裏側には、円柱状をなしロープ７を上下方向にわたって掛ける挟持部材側折返し部９が設けられている。挟持部材側折返し部９の直ぐ上及び直ぐ下に挟持部本体５０を貫通する第１貫通孔３４と上側の当接部材３２に直ぐ下に挟持部本体５０を貫通する第２貫通孔３５が設けられている。そして、挟持部本体５０の上端側に設けられた当接部材３２及び第２貫通孔３５と下端側に設けられた当接部材３３及び第１貫通孔３４とは、基台１０の端部と基台１０におけるロープ７の固定位置との距離と同等の間隔が隔てられており、上端側の当接部材３２と下端側の当接部材３３との中間にて挟持部本体５０が折り畳まれるように構成されている。ここで、挟持部本体５０の上下の当接部材３２、３３間の部位が折り畳まれない状態で、挟持部材側折返し部９と挟持部材側固定部１４との間に位置する挟持部本体５０部分が、挟持部材側折返し部９と挟持部材３０側にロープ７を固定する挟持部材側固定部１４とが互いに近接する方向への移動を規制するための移動規制部５０ａに相当し、上端側の当接部材３２と下端側の当接部材３３との中間にて折れ曲がる部位が規制解除部３６に相当する。
【００５９】
基台１０の載置面１０ａには、ガイド凹部１３に沿って載置される２枚の網戸３の間に位置するように、十分に長いロープ７の一方の端部７ａが予め固定されている。つまり、ロープ７の一方の端部７ａは、水平方向に並んで設けられたガイド凹部１３の間に固定されている。一方の端部７ａが固定されたロープ７は、下側の当接部材３３の下の第１貫通孔３４を挿通されて網戸３とは反対側を通され、挟持部材側折返し部９に掛けられるとともに挟持部材側折返し部９の上の第１貫通孔３４を挿通し基台１０に水平方向に並んで設けられたガイド凹部１３の間に設けられた載置台側折返し部８にて折返させて第２貫通孔３５に挿通させておく。そして、ロープ７は挟持部材３０側へ引っ張らずに挟持部材３０を規制解除部３６にて折り畳み、基台１０の外側に位置するように十分に繰り出しておく。
【００６０】
そして、２枚の網戸３が隣接するように基台１０のガイド凹部１３に沿って載置させ、押圧板２０に設けられた転倒防止部材２２の転倒防止凹部２２ａ（図４）にそれぞれ差し込む。この状態で２枚の網戸３はそれぞれ独立して立たされた状態が維持されている。
【００６１】
その後、挟持部材３０を持ち上げつつロープ７を挟持部材３０側へ引っ張る。このとき、ロープ７が引っ張られることにより挟持部材３０に設けられている上下の当接部材３２、３３が網戸３の縁部に当接される。さらに、ロープ７を引っ張りつつ挟持部材３０が網戸３の縁部に沿って移動しなくなるように挟持部材３０の位置を調節する。そして、挟持部材３０は、ロープ７の基台１０に固定された端部７ａと第２貫通孔３５に挿通されている部位７ｂとの長さが最も短くなる位置に調整される。第３実施形態の場合には、一端が固定されたロープ７は、挟持部材側折返し部９にて折返されて基台１０側のロープ７の固定部近傍に設けられている載置台側折返し部８に戻されるため、挟持部本体５０の下端が基台１０側に近接した位置に調節される。載置台側折返し部８にて折返されたロープ７は、挟持部本体５０が折り畳まれることなく移動規制部５０ａとなった状態にて第２貫通孔３５に挿通され、挟持部本体５０に第２貫通孔３５近傍にて固定される。このとき、ロープ７が挟持部材３０側に引っ張られて挟持部本体５０に固定されることにより、ロープ７の張力は、挟持部本体５０の規制解除部３６より上方側の部位と、挟持部本体５０の規制解除部３６より下方側の部位とをいずれも網戸３側に引っ張るように作用して上下の当接部材３２、３３を網戸３に押圧させる。このため、挟持部本体５０の規制解除部３６より上方側の部位と、挟持部本体５０の規制解除部３６より下方側の部位とは網戸３から離れる方向には移動しにくくなり、不用意に規制解除部３６が折り畳まれることはなく、網戸３は挟持部材３０と載置台５とにて確実に保持される。ここで、第３実施形態では、載置台側折返し部８をロープ７が基台１０側に固定された位置近傍に設けたフック材としたが、図１５、図１６に示すように、ロープ７の固定されている端部７ａ側に当該ロープ７を結んでループ部７ｅを形成し、このループ部７ｅにてロープ７を折返させても良い。
【００６２】
第４実施形態の網戸積載用パレット１及び積載方法は、図１７、図１８に示すように、１枚の網戸３を保持するものであるが、載置台側折返し部８が基台１０側に設けられている点で第２実施形態の網戸積載用パレット及び積載方法と相違する。
【００６３】
挟持部材３０は、転倒防止凹部２２ａに差し込まれる１枚の網戸３の、押圧板２０とは反対側の端部側に当接される。ここで、本実施形態の挟持部材３０が有する長方形の板状をなす樹脂製の挟持部本体５２が、長手方向が上下方向に向けられている。板状の挟持部本体５２の上端側及び下端側には、網戸３に当接される側に弾性を有する当接部材３２、３３が設けられている。また、上側の当接部材３２の裏側には、円柱状をなしロープ７を前後方向に掛けて折返すための挟持部材側折返し部９が設けられている。また、下側の当接部材３３の上側には、挟持部材３０が当接された際に網戸３の表裏面側にそれぞれロープ７が挿入されて固定される固定部としてのスリット５２ａが設けられている。
【００６４】
挟持部本体５２の上端側に設けられた当接部材３２と下端側に設けられた当接部材３３とは、基台１０の端部と基台１０におけるロープ７の固定位置との距離と同等の間隔が隔てられており、上端側の当接部材３２と下端側の当接部材３３との中間の規制解除部３６にて折り畳まれるように構成されている。ここで、挟持部本体５２が折り畳まれない状態にあるときに、挟持部材側折返し部９とロープ７の固定部としてのスリット５２ａが設けられた部位との互いに近接する方向への移動を規制するための移動規制部５２ｂは、挟持部本体５２の上下の当接部材３２、３３間の部位が相当する。また、上端側の当接部材３２と下端側の当接部材３３との中間の規制解除部３６にて折り畳まれることにより規制が解除される。載置台折返し部８は、水平方向に並んで設けられたガイド凹部１３の間に設けられている。
【００６５】
１枚の網戸３を基台１０のガイド凹部１３に沿わせて載置させ、押圧板２０に設けられた転倒防止部材２２の転倒防止凹部２２ａ（図４）に差し込む。この状態で網戸３は独立して立たされた状態が維持されている。
【００６６】
第４実施形態の網戸積載用パレット１は、挟持部材３０の下端側に設けられている一方のスリット（ここでは前方側のスリット）５２ａにロープ７の一方の端部を挿入して仮固定し、網戸３の一方の面側（ここでは前面側）に設けられている載置台側折返し部８にて折返させ、網戸３の端部に挟持部材３０を広げた状態にて上下の当接部材３２、３３を当接させ、挟持部材３０の上端側に設けられている挟持部材側折返し部９に掛けて網戸３の他方の面側（ここでは後面側）に設けられている載置台側折返し部８にて折返させた後、挟持部材３０の下端側に設けられている他方のスリット（ここでは後方側のスリット）５２ａにロープ７の他方の端部を挿入して仮固定する。
【００６７】
その後、前後のスリット５２ａにそれぞれ仮固定されているロープ７を外し、ロープ７の両端側を同時に引っ張りつつ挟持部材３０が折り畳まれないように移動させ、挟持部材３０を基台１０上に位置させる。
【００６８】
そして、網戸３の前後面側にてそれぞれ引き出されているロープ７を引っ張って、挟持部材側折返し部９にて折返させながらスリット５２ａに再び挿入してロープ７を固定する。このとき、ロープ７が挟持部材３０側に引っ張られて挟持部本体５２に固定されることにより、ロープ７の張力は、挟持部本体５２の規制解除部３６より上方側の部位と、挟持部本体５２の規制解除部３６より下方側の部位とをいずれも網戸３側に引っ張るように作用して上下の当接部材３２、３３を網戸３に押圧させる。このため、挟持部本体５２の規制解除部３６より上方側の部位と、挟持部本体５２の規制解除部３６より下方側の部位とは網戸３から離れる方向には移動しにくくなり、不用意に規制解除部３６が折り畳まれることはなく、網戸３は挟持部材３０と載置台５とにて確実に保持される。
【００６９】
載置台側折返し部８が基台１０側に設けられている載置台に載置された１枚の網戸３を保持する変形例の一例として、図１９、図２０に示すような形態も考えられる。
【００７０】
挟持部材３０は、転倒防止凹部２２ａに差し込まれる１枚の網戸３の、押圧板２０とは反対側の端部側に当接される。ここで、本実施形態の挟持部材３０が有する長方形の板状をなす樹脂製の挟持部本体５２が、長手方向が上下方向に向けられている。板状の挟持部本体５２の上端側及び下端側には、網戸３に当接される側に弾性を有する当接部材３２、３３が設けられている。また、下側の当接部材３３の裏側には、円柱状をなしロープ７を前後方向に掛けて折返すための挟持部材側折返し部９が設けられている。また、上側の当接部材３２の下側には、挟持部材３０が当接された際に網戸３の表裏面側にそれぞれロープ７が挿入されて固定される固定部としてのスリット５２ａが設けられている。
【００７１】
挟持部本体５２の上端側に設けられた当接部材３２と下端側に設けられた当接部材３３とは、基台１０の端部と基台１０におけるロープ７の固定位置との距離と同等の間隔が隔てられており、上端側の当接部材３２と下端側の当接部材３３との中間の規制解除部３６にて折り畳まれるように構成されている。ここで、挟持部本体５２が折り畳まれない状態にあるときに、挟持部材側折返し部９とロープ７の固定部としてのスリット５２ａが設けられた部位との互いに近接する方向への移動を規制するための移動規制部５２ｂは、挟持部本体５２の上下の当接部材３２、３３間の部位が相当する。また、上端側の当接部材３２と下端側の当接部材３３との中間の規制解除部３６にて折り畳まれることにより規制が解除される。載置台折返し部８は、水平方向に並んで設けられたガイド凹部１３の間に設けられている。
【００７２】
１枚の網戸３を基台１０のガイド凹部１３に沿わせて載置させ、押圧板２０に設けられた転倒防止部材２２の転倒防止凹部２２ａ（図４）に差し込む。この状態で網戸３は独立して立たされた状態が維持されている。
【００７３】
第４実施形態の網戸積載用パレット１は、挟持部材３０の上端側に設けられている一方のスリット（ここでは前方側のスリット）５２ａにロープ７の一方の端部を挿入して仮固定し、網戸３の一方の面側（ここでは前面側）に設けられている載置台側折返し部８にて折返させ、網戸３の端部に挟持部材３０を広げた状態にて上下の当接部材３２、３３を当接させ、挟持部材３０の下端側に設けられている挟持部材側折返し部９に掛けて網戸３の他方の面側（ここでは後面側）に設けられている載置台側折返し部８にて折返させた後、他方のスリット（ここでは後方側のスリット）５２ａにロープ７の他方の端部を挿入して仮固定する。
【００７４】
その後、前後のスリット５２ａにそれぞれ仮固定されているロープ７を外し、ロープ７の両端側を同時に引っ張りつつ挟持部材３０が折り畳まれないように移動させ、挟持部材３０を基台１０上に配置させる。
【００７５】
そして、１枚の網戸３を基台１０のガイド凹部１３に沿って載置させ、網戸３の前後面側にてそれぞれ引き出されているロープ７を引っ張って、挟持部材側折返し部９にて折返させながらスリット５２ａに再び挿入してロープ７を固定する。このとき、ロープ７が挟持部材３０側に引っ張られて挟持部本体５２に固定されることにより、ロープ７の張力は、挟持部本体５２の規制解除部３６より上方側の部位と、挟持部本体５２の規制解除部３６より下方側の部位とをいずれも網戸３側に引っ張るように作用して上下の当接部材３２、３３を網戸３に押圧させる。このため、挟持部本体５２の規制解除部３６より上方側の部位と、挟持部本体５２の規制解除部３６より下方側の部位とは網戸３から離れる方向には移動しにくくなり、不用意に規制解除部３６が折り畳まれることはなく、網戸３は挟持部材３０と載置台５とにて確実に保持される。
【００７６】
上記第３実施形態と第４実施形態では、挟持部材３０を上下の当接部材３２、３３の中間にて折り畳まれる構成とし、上の当接部材３２の直ぐ下と、下の当接部材３３の直ぐ上にロープ７を通して挟持部材３０を網戸３側に引っ張ることにより挟持部本体５０、５２が折り畳まれずロープ７が緩み難い構成としたが、これに限るものではない。例えば、ロープ７が上の当接部材３２の上側と、下の当接部材３３の下側とを通さなければならない場合には、挟持部本体５０、５２は折り畳まれ易くなってしまうが、このような場合には、図２１に示すような解除防止部５４を備えた構成としても良い。解除防止部５４は、挟持部本体５０、５２を幅方向に延出させて形成し、挟持部本体５０、５２とともに、上下の当接部材３２、３３の中間にて折り畳まれるとともに、挟持部本体５０、５２が開かれた状態では、挟持部本体５０、５２と交差する方向に折り曲げることが可能である。このため、解除防止部５４を挟持部本体５０、５２に対して折り曲げた状態では、解除防止部５４と挟持部本体５０、５２との水平断面がＬ字状となり、挟持部本体５０、５２が規制解除部３６にて折り畳まれることを防止することが可能である。また、解除防止部５４を挟持部本体５０，５２とほぼ同一平面を形成するように移動させると、規制解除部３６にて折り畳むことが可能となる。
【００７７】
上記各実施形態の網戸積載用パレット１によれば、載置面１０ａに載置された網戸３は、ロープ７が挟持部材３０側に引っ張られて挟持部材３０に固定されることにより挟持部材３０と載置台５とに挟持されるとともに押圧面２０ａに押圧されることにより、立てられた状態を維持しつつ載置台５に固定される。このとき、挟持部材側折返し部９から載置台側折返し部８を経由しているロープ７は、挟持部材側折返し部９及び載置台側折返し部８にて移動自在に折返されているので、挟持部材３０側に引っ張った際の張力がバランス良くロープ７に作用され、網戸３を載置台５側に押圧させて確実に固定することが可能である。
【００７８】
また、載置台側折返し部８はあたかも定滑車のごとく作用するので、バランスよくロープ７を掛けることが可能である。
【００７９】
さらに、網戸３は載置台５にて立てられた状態が維持されるので、ロープ７の固定を解いて緩めたとしても、網戸３が倒れることはないため、網戸３の損傷を抑えることが可能である。また、ロープ７を緩めても網戸３は立てられているので、所望の網戸３のみを載置台５から取り出すこと、また、網戸３を載置台５に載置することが容易である。
【００８０】
また、ロープ７を挟持部材３０側に引っ張って挟持部材３０に固定することとし、ロープ７を引っ張りつつ挟持部材３０の位置を調整し、適切な位置にてロープ７を固定するので、ロープ７が緩み難い適切な位置にて容易にロープ７を固定することが可能である。
【００８１】
また、網戸３は、一方の端部７ａが固定された載置面１０ａ及び載置台側折返し部８が設けられている押圧面２０ａと挟持部材３０とにより２方向に押圧されるので、より確実に保持することが可能である。
【００８２】
更に、ロープ７の端部７ａや載置台側折返し部８が、ガイド凹部１３間や転倒防止凹部（ガイド凹部）２２ａ間に設けられているので、網戸（建具）３をガイド凹部１３や転倒防止凹部（ガイド凹部）２２ａに沿わせて載置しても載置台側折返し部８が障害とならないので、容易に建具を載置することが可能である。更に、ガイド凹部間のスペースを利用して載置台折返し部８を設けている為、効率よく（より多くの数量の）網戸３を載置することが可能である。
【００８３】
このとき、載置台側折返し部８を押圧板２０側に設ける場合（実施形態１、２）は、挟持部材側折返し部９の高さ位置（上下方向位置）が、ロープ７の端部７ａの高さ位置と載置台側折返し部８の高さ位置との間に位置するように配置することで、挟持部材側折返し部９に生じるロープの張力が上下に分散される為、網戸（建具）３を載置台に固定した状態において不用意に挟持部材３０が上下にスライド移動することを抑制することが可能である。また、載置台側折返し部８を載置面１０ａ（載置台５）側に設ける場合（実施形態３、４）は、挟持部材側折返し部９の高さ位置（上下方向位置）が、ロープ７の端部７ａの高さ位置と載置台側折返し部８の高さ位置との間に位置するように配置することで、ロープ７は緩み難くより確実に網戸３を保持することが可能である。
【００８４】
また、網戸３を保持させるために押圧面２０ａの転倒防止凹部２２ａに差し込んだとしても、網戸３に設けられたシール材３ｂは転倒防止凹部２２ａと接触しないので、シール材３ｂが損傷を受けることを防止することが可能である。
【００８５】
また、第１〜第３実施形態の網戸積載用パレット１によれば、挟持部材３０は、ロープ７の固定された一方の端部７ａと、載置台側折返し部８にて折返されている部位との間にて、折返される挟持部材側折返し部９を有し、この挟持部材側折返し部９があたかも動滑車のごとく作用するので、挟持部材３０側にて引っ張る力のほぼ２倍の押圧力を作用させて確実に固定することが可能である。
【００８６】
また、第３及び第４実施形態の網戸積載用パレット１によれば、網戸３から離れる方向に移動されつつ折り畳まれて挟持部材側折返し部９と挟持部材固定部との互いに近接する方向への移動の規制を解除する規制解除部３６は挟持部材３０の中央側に設けられているので、規制解除部３６を網戸３側に引っ張る力を作用させると、規制させた状態を維持させることが可能である。このため、上下方向において、挟持部材側折返し部９と挟持部材固定部との外側にそれぞれ網戸３に当接される当接部材３２、３３を設けることにより、挟持部材側折返し部９と挟持部材固定部とに作用するロープ７の張力が規制解除部３６を網戸３側に引っ張るように作用させることが可能であり、ロープ７が容易に緩まない構造を実現することが可能である。
【００８７】
また、移動規制部５０ａ、５２ｂの中央側に設けられた規制解除部３６を網戸３から離れる方向に移動させつつ折り畳むことにより、挟持部材側折返し部９と挟持部材固定部との近接する方向へ移動させることが可能となるので、規制解除部３６を操作して容易にロープ７を緩め、網戸３を取り出すことが可能である。特に、網戸３を載置台５との間で挟持する挟持部材３０が折り畳まれるので、網戸３を取り出す際には挟持部材は障害とならず網戸３を容易に取り出すことが可能である。
【００８８】
また、第２及び第４実施形態の網戸積載用パレット１によれば、ロープ７は網戸の一方の面側から他方の面側に渡って掛けられているので、１枚の網戸３を確実に保持することが可能である。
【００８９】
また、第１及び第３実施形態の網戸積載用パレット１によれば、複数の網戸３に架け渡された挟持部材３０のうちの隣接する２つの網戸３間にロープ７が引き回されて張力が作用されるので、張力をいずれの網戸３にも作用させて複数の網戸３を確実に保持することが可能である。
【００９０】
また、第３実施形態の網戸積載用パレット１によれば、載置台側折返し部８がロープ７の固定されている端部７ａに近接させて設けられているので、ロープ７を引っ張った際には挟持部材側折返し部９が、挟持部材３０が当接される網戸３の縁部において載置台側折返し部８及びロープ７の固定されている端部７ａに最も近い位置、すなわち載置台側折返し部８及びロープ７の固定されている部位に対するほぼ水平位置に移動する。そして、挟持部材側折返し部９にて折返されたロープ７は、挟持部材３０が当接される網戸３の上下方向において間隔を隔てて配置された挟持部材側固定部１４にて固定されるので、ロープ７は傾斜した状態にて固定されることになる。このため、網戸３は、水平方向及び鉛直方向と傾斜した方向との２方向から押圧されて保持されるので、より確実の保持することが可能である。このとき、挟持部材側折返し部９と前記挟持部材側固定部１４とは移動規制部５０ａにより互いが近接する方向への移動が規制されているので、ロープ７の張力が２方向へ作用する状態が保たれるため、ロープ７が緩むことを防止することが可能である。
【００９１】
また、第４実施形態の網戸積載用パレット１によれば、載置面１０ａに載置され網戸３は、ロープ７が挟持部材３０側に引っ張られて挟持部材３０に固定されることにより挟持部材３０と載置台５とに挟持されるとともに押圧面２０ａに押圧されることにより、立てられた状態を維持しつつ網戸３を載置台５に固定することが可能である。このとき、挟持部材側折返し部９から網戸３の表裏面側にてそれぞれ載置台側折返し部８を経由しているロープ７は、挟持部材側折返し部９及び載置台側折返し部８にて折返されているので、挟持部材３０側に引っ張った際の張力がバランス良くロープ７に作用されるので、網戸３を載置台５側に押圧させて確実に固定することが可能である。
【００９２】
また、網戸３は転倒防止部材２２により載置台５にて立てられた状態が維持されるので、ロープ７の固定を解いて緩めたとしても、網戸３が倒れることはないため、網戸３の損傷を抑えることが可能である。また、ロープ７を緩めても立てられているので、所望の網戸３のみを載置台５から取り出すこと、また、網戸３を載置台５に載置することが容易である。
【００９３】
上記各実施形態においては、載置面１０ａを基台１０の表面及び押圧面２０ａを押圧板２０の表面として説明したが、これに限るものではない。例えば、基台１０の表面に断面が波形状をなす板材が敷かれており、波形状の板材の凹部をガイド凹部とする場合には、波形状の板材の表面が載置面となる。また、押圧板２０の代わりに、基台上に立接されたパイプでなるフレームにブロック材が設けられており、このブロック材に建具が当接される場合には、このブロック材の表面が押圧面となる。
【００９４】
上記実施形態においては、挟持部材３０を、矩形状をなす網戸３の一辺にのみに当接させた例について説明したが、図２２に示すように、網戸３の角部にて二辺に当接される挟持部材を用いて網戸３を保持する構成としてもよい。また、挟持部材３０は、載置台５に網戸３が載置された状態における網戸３の上端（つまり、載置面１０ａと対向する側の端面）に当接させて配置してもよい。
【００９５】
また、押圧面２０ａ側に載置台側折返し部８を設けた場合の実施例においては、上下方向に間隔をあけて設けられた転倒防止凹部（ガイド凹部）２２ａの間に載置台折返し部８を設けたがこれに限らず、水平方向に並んで設けられた転倒防止凹部（ガイド凹部）２２ａの間に設けても良い。
【００９６】
上記実施形態においては、基台１０に対し押圧板２０を１枚備えた載置台５を用いた例について説明したが、図２３に示すように、載置する建具のサイズに合わせて複数の押圧板２０を備えた載置台５を用いても良い。さらに、建具のサイズが小さい場合には、建具を基台１０載置する際に押圧板２０に向かう方向において複数の建具を直列に配置しても良い。このとき、直列に配置する建具が、例えば網戸３のように外周部に溝部３ａを備えている場合には、図２４に示すように、異なる網戸３が有する対向する溝部３ａ同士に、溝部３ａの幅より僅かに厚い弾性を有する連結部材５６を介在させることにより連結して載置すると、網戸３をより安定させて保持させることが可能である。このように、複数の網戸３が連結部材５６により直列に連結されて載置台５と挟持部材３０との間に保持されるので、より多くの網戸３を保持させることが可能である。また、網戸３同士を連結する連結部材５６は網戸３に設けられている溝部３ａに連結部材５６が挿入されているだけなので、容易に連結して載置し、また、個々の網戸３を容易に分離させることが可能である。また、幅寸法（図１における左右方向）の異なる複数種類の網戸３（建具）を載置台５に並列的に（つまり、図２における前後方向に並べて）載置する場合において、網戸３の左右寸法の違いにより挟持部材３０との間に隙間が生じる網戸に対して連結部材５６を取り付けることで、その隙間を埋めることもできる。
【００９７】
また、ロープ７の端部を押圧板２０側に固定し、載置台側折返し部８を載置面１０ａ側に設けても構わない。この場合、まず、ロープ７の端部を押圧板２０に固定した後、挟持部材側折返し部９に掛けられて折返し、折返されたロープ７を載置台側折返し部８に掛けて折返し、折返されたロープ７を挟持部材３０に固定する。
【００９８】
また、上記実施形態においては建具を網戸として説明したが、建具は網戸に限らず、ドアやガラス等の面材が嵌め込まれた障子、面材が嵌め込まれる前の枠組みされた框、障子と躯体等に取り付けられる枠体とを有する建具等であっても構わない。
【００９９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【０１００】
【図１】本実施形態に係る網戸積載用パレットの正面図である。
【図２】本実施形態に係る網戸積載用パレットの側面図である。
【図３】本実施形態に係る網戸積載用パレットの平面図である。
【図４】転倒防止凹部材を説明するための平面図である。
【図５】第１実施形態の網戸積載用パレットを示す斜視図である。
【図６】第１実施形態の網戸積載用パレットを示す正面図である。
【図７】第１実施形態の一変形例の網戸積載用パレットを示す斜視図である。
【図８】第１実施形態の一変形例の網戸積載用パレットを示す正面図である。
【図９】第２実施形態の網戸積載用パレットを示す斜視図である。
【図１０】第２実施形態の網戸積載用パレットを示す正面図である。
【図１１】第３実施形態の網戸積載用パレットを示す斜視図である。
【図１２】第３実施形態の網戸積載用パレットを示す正面図である。
【図１３】第３実施形態の第１変形例の網戸積載用パレットを示す斜視図である。
【図１４】第３実施形態の第１変形例の網戸積載用パレットを示す正面図である。
【図１５】第３実施形態の第２変形例を説明するための図である。
【図１６】第３実施形態の第３変形例を説明するための図である。
【図１７】第４実施形態の網戸積載用パレットを示す斜視図である。
【図１８】第４実施形態の網戸積載用パレットを示す正面図である。
【図１９】第４実施形態の一変形例の網戸積載用パレットを示す斜視図である。
【図２０】第４実施形態の一変形例の網戸積載用パレットを示す正面図である。
【図２１】解除防止部の例を示す斜視図である。
【図２２】挟持部材を網戸の角部に当接させた例を示す正面図である。
【図２３】複数の押圧板を備えた建具保持装置を示す概念図である。
【図２４】図３におけるＡ部の拡大図である。
【符号の説明】
【０１０１】
１  網戸積載用パレット、３  網戸、３ａ  溝部、３ｂ  シール材、５  載置台、
７  ロープ、７ａ  端部、８  載置台側折返し部、９  挟持部材側折返し部、
１０  基台、１０ａ  載置面、１３  ガイド凹部、１４  挟持部材側固定部、
１８  接合部材、２０  押圧板、２０ａ  押圧面、２２  転倒防止部材、
２２ａ  転倒防止凹部、３０  挟持部材、３２  当接部材、３３  当接部材、
５０ａ  移動規制部、５２  挟持部本体、５２ａ  スリット、５２ｂ  移動規制部、
５４  解除防止部、５６  連結部材
【図１】
0004954809.tif 000002
【図２】
0004954809.tif 000003
【図３】
0004954809.tif 000004
【図４】
0004954809.tif 000005
【図５】
0004954809.tif 000006
【図６】
0004954809.tif 000007
【図７】
0004954809.tif 000008
【図８】
0004954809.tif 000009
【図９】
0004954809.tif 000010
【図１０】
0004954809.tif 000011
【図１１】
0004954809.tif 000012
【図１２】
0004954809.tif 000013
【図１３】
0004954809.tif 000014
【図１４】
0004954809.tif 000015
【図１５】
0004954809.tif 000016
【図１６】
0004954809.tif 000017
【図１７】
0004954809.tif 000018
【図１８】
0004954809.tif 000019
【図１９】
0004954809.tif 000020
【図２０】
0004954809.tif 000021
【図２１】
0004954809.tif 000022
【図２２】
0004954809.tif 000023
【図２３】
0004954809.tif 000024
【図２４】
0004954809.tif 000025